(57)【要約】
【課題】硫酸ピッチ等の水分を含んだ廃棄物を、水分を含まない廃棄物を迅速に処理できる市販の既に実用に供されている処理装置によって処理することができるようにする。
【解決手段】水分を含んだ廃棄物を貯留する貯留タンク１を、途中部にバルブ９を設けたパイプ１０をもって処理槽８に接続する。貯留タンク１に水分を含んだ廃棄物の投入手段３と中和剤等の処理剤の投入手段６を備える。処理槽８に水分を含んだ廃棄物の投入手段１１と固化剤等の処理剤の投入手段１５を備える。そして処理槽８の内部に攪拌と破砕を行う手段としての回転棒状体２１，２１を設けると共に、底部に開閉シャッター１９を設ける。処理槽８の底部に、内部にスクリューフィーダ２７を設けた搬送筒２５を接続する。該搬送筒２５の送り出し方向の端部に、排出口２５ａに開閉シャッター２６を備えた排出筒２５Ａを設けると共に、該排出筒２５Ａに処理物の引き出し手段３２を接続する。
【選択図】図１
0003100033.tif 000002
【実用新案登録請求の範囲】
【請求項１】
　水分を含んだ廃棄物の投入手段と中和剤等の処理剤の投入手段を備え、内部に処理物を貯留する貯留タンクと、途中部にバルブを設けたパイプを介して前記貯留タンクに接続する一方、水分を含んだ廃棄物の投入手段と固化剤等の処理剤の投入手段を備え、更に内部に攪拌と破砕を行う手段を設けると共に、底部に所定のタイミングで開閉を行うシャッターを備えた処理槽と、前記処理槽の底部に接続し、内部に処理物の送り出し手段を設けると共に、送り方向側の端部に、排出口を所定のタイミングで開閉するシャッターを備えた排出筒を設けた搬送筒と、前記搬送筒の排出筒に接続した処理物の引き出し手段とからなる水分を含んだ廃棄物の処理装置。
【請求項２】
　水分を含んだ廃棄物の投入と中和剤等の処理剤の貯留タンクへの投入を、真空ポンプ等によって貯留タンクの内部を減圧し、吸入によって行うようになした請求項１記載の水分を含んだ廃棄物の処理装置。
【考案の詳細な説明】
【技術分野】
【０００１】　本考案は硫酸ピッチ、ＰＣＢ、生ゴミ等の水分を含んだ廃棄物の処理装置に関するものである。
【背景技術】
【０００２】　硫酸ピッチは、廃棄物として大量に出るが、処理が困難であることと量が多過ぎることから、処理しきれずに事業所の構内等に大量に存在しているのが実情である。【０００３】　また、この点についてはＰＣＢも同様である。そしてまた、都市部においては生ゴミの処理も大きな問題となっている。【０００４】　ところで、廃棄物の処理が直接的な目的ではなく、有機性廃棄物を再利用することを直接的な目的とする次の装置が市販され、実用に供されている。【０００５】　該装置は、図２に示す通りであり、投入口１００に二重のシャッター１０１、１０２を備え、該投入口１００から木材チップ、紙くず、廃プラスチック等の被処理物を投入すると共にマイナスイオンを内部に充満させる還元乾留処理槽１０３と、該還元乾留処理槽１０３内の煙を含む乾留ガスを導入し、これを水に接触させてエマルジョン化し、水素還元反応で凝縮させて炭化水素油にする還元液相接触処理装置１０４とからなるものである。また、該還元液相接触処理装置１０４において水素還元と中和剤の作用によりダイオキシン類を分解するものである。【０００６】　次に、該装置における還元乾留処理槽１０３の作用について説明すると、投入口１００から投入した廃棄物は自重によって下部に移動するものである。また、還元乾留処理槽１０３内は、最下層のセラミック状処理残さ１０５から炭化層１０６、乾燥層１０７、未処理層１０８の順に積層されている。尚、１０９は処理減容空間である。【０００７】　そして、該還元乾留処理槽１０３内においては最下層のセラミック状処理残さ１０５とこれの上層の炭化槽１０６との間において火炎を伴わない酸化分解反応である燻焼１１０が起きている。また、この酸化分解反応は炭化物表面で行われ、酸化部分は赤熱程度の８００℃〜１０００℃であり、セラミック状処理残さの蓄熱効果により保たれ、更に輻射熱効果により温度がその接触面から炭化物に伝搬して酸化反応が起き、その発熱で表面温度が保たれているものである。そしてまた酸化反応は物体表面に垂直に進行していくものである。そして、最下層のセラミック状処理残さは、ある程度溜まったときに外部に取り出され、防錆塗料や消臭・抗菌繊維、段ボール、シート等に加工して再利用されるものである。【０００８】　斯かる装置を用いれば、廃棄物を再利用することができると共に、廃棄物の迅速な処理が可能であり、而もダイオキシン等の問題も起こらないものである。【０００９】　しかし乍ら、斯かる装置は火炎を伴わない酸化分解反応である燻焼によって処理を行うものであることから、処理することができる廃棄物は殆ど水分を含まないものに限られる。
【考案の開示】
【考案が解決しようとする課題】
【００１０】　そこで本考案者は、大量に出て処理しきれない前記硫酸ピッチ、ＰＣＢ、生ゴミ等の水分を含んだ廃棄物を、斯かる装置を利用して処理することができるようにするにはどのようにしたらよいかという点について研究し、本考案を完成するに至ったものである。また、硫酸ピッチの場合には、最近これの中和剤（処理剤）が開発され、この中和剤（処理剤）を用いると軽油と重油に分離してそのまま再使用することが可能となるが、この場合には前記処理装置によることなく、本考案のみによって処理することが可能となるような構成となしたものである。
【課題を解決するための手段】
【００１１】　而して、本考案の要旨とするところは、水分を含んだ廃棄物の投入手段と中和剤等の処理剤の投入手段を備え、内部に処理物を貯留する貯留タンクと、途中部にバルブを設けたパイプを介して前記貯留タンクに接続する一方、水分を含んだ廃棄物の投入手段と固化剤等の処理剤の投入手段を備え、更に内部に攪拌と破砕を行う手段を設けると共に、底部に所定のタイミングで開閉を行うシャッターを備えた処理槽と、前記処理槽の底部に接続し、内部に処理物の送り出し手段を設けると共に、送り方向側の端部に、排出口を所定のタイミングで開閉するシャッターを備えた排出筒を設けた搬送筒と、前記搬送筒の排出筒に接続した処理物の引き出し手段とからなる水分を含んだ廃棄物の処理装置にある。また、上記構成において、水分を含んだ廃棄物と中和剤等の処理剤の貯留タンクへの投入を、真空ポンプ等によって貯留タンクの内部を減圧し、吸入によって行うようになしてもよい。【００１２】　これにより、硫酸ピッチ、ＰＣＢ等は中和剤によって中和されると共に固化剤によってある程度の硬さに固化され、そして破砕されて細かくされ、前記処理装置によって処理するに適した状態となるものである。また、生ゴミの場合には破砕によって含まれている水分の殆どが出るから、そのまま前記処理装置に投入して処理することも可能となるものである。また、硫酸ピッチの場合には、最近これの中和剤（処理剤）が開発され、この中和剤（処理剤）を用いると軽油と重油に分離してそのまま再使用することが可能となるが、この場合には前記処理装置によることなく、本考案のみによって処理することが可能である。【００１３】　また、本考案においては、処理槽から出る処理物を所定の場所まで搬送する搬送手段を備えているから、処理槽から出る処理物を直接機械的に前記処理装置に送ることができ、作業者が処理物に接触しないで済むものである。
【考案の効果】
【００１４】　本考案によれば、大量に出て処理しきれない硫酸ピッチ、ＰＣＢ、生ゴミ等の水分を含んだ廃棄物を、既に市販され実用に供されている、迅速に処理することができ而もダイオキシン等の問題も起こらない前記処理装置によって処理することが可能となるものである。また、硫酸ピッチについては、前記処理装置を用いて処理する他に、中和剤（処理剤）を用いて本考案のみにて処理することも可能となるものである。
【考案を実施するための最良の形態】
【００１５】　本考案を実施するための最良の形態は、水分を含んだ廃棄物の投入手段と中和剤等の処理剤の投入手段を備え、内部に処理物を貯留する貯留タンクと、途中部にバルブを設けたパイプを介して前記貯留タンクに接続する一方、水分を含んだ廃棄物の投入手段と固化剤等の処理剤の投入手段を備え、更に内部に攪拌と破砕を行う手段を設けると共に、底部に所定のタイミングで開閉を行うシャッターを備えた処理槽と、前記処理槽の底部に接続し、内部に処理物の送り出し手段を設けると共に、送り方向側の端部に、排出口を所定のタイミングで開閉するシャッターを備えた排出筒を設けた搬送筒と、前記搬送筒の排出筒に接続した処理物の引き出し手段とをもって構成することにある。
【実施例１】
【００１６】　以下、本考案の実施例について説明する。
　図１は本考案の一部切欠して示した正面図である。【００１７】　図中、１は貯留タンクであり、水分を含んだ廃棄物、例えば硫酸ピッチ等の処理物を貯留するものである。２は該貯留タンク１の蓋１ａに取り付けた真空ポンプであり、該貯留タンク１内を減圧して水分を含んだ廃棄物と中和剤等の処理剤を吸入するためのものである。３は前記貯留タンク１に備えた、水分を含んだ廃棄物の投入手段としての吸入パイプであり、ドラム罐４内の硫酸ピッチ５又はコンテナ（図示せず。）内等にこぼれた硫酸ピッチ５を吸引して前記貯留タンク１に送り込むものである。６は前記貯留タンク１に備えた、中和剤（処理剤）の投入手段であり、収容槽６ａ内の中和剤（処理剤）７を吸入パイプ６ｂをもって前記貯留タンク１に送り込むものである。尚、中和剤（処理剤）７は最近開発された前記中和剤（処理剤）である。【００１８】　８は途中部にバルブ９を設けたパイプ１０を介して前記貯留タンク１に接続した処理槽である。１１は前記処理槽８に備えた、水分を含んだ廃棄物の投入手段としてのパイプであり、ドラム罐１２内のＰＣＢ１３をポンプ１４をもって前記処理槽８に送り込むものである。１５は前記処理槽８に備えた、固化剤（処理剤）の投入手段としてのパイプであり、収容槽１６内の固化剤（処理剤）１７をポンプ１８をもって前記処理槽８に送り込むものである。【００１９】　１９は前記処理槽８の底部に備えたスライド式のシャッターであり、所定のタイミングで開閉するものである。尚、その機構は公知の機構を適宜に採用すればよく、ここでは省略している。【００２０】　２０は前記処理槽８の内部に設けた攪拌と破砕を行う手段である。また、本実施形態においては回転する棒状体２１，２１をもって構成し、該棒状体２１，２１は、前記処理槽８の中心部に横向きに配され、水密構造の軸受２２，２２を介して回転自在に支承された回転軸２３に所定の間隔で取り付けられている。また、該回転軸２３の一端側の端部は処理槽８から突出し、スプロケット２４を固着している。【００２１】　２５は前記処理槽８の底部に、横向きに一体形成された搬送筒である。また、該搬送筒２５の送り方向側の端部には、排出口２５ａを所定のタイミングで開閉するスライド式のシャッター２６を備えた排出筒２５Ａを設けている。【００２２】　２７は前記搬送筒２５内に配設した、水密構造の軸受２８，２８を介して回転自在に支承された処理物の送り出し手段としてのスクリューフィーダであり、その回転軸２７ａは前記搬送筒２５から突出し、スプロケット２９を固着している。また、該回転軸２７ａは駆動モータ３０の回転軸３０ａに連結されている。３１は該回転軸２７ａのスプロケット２９と前記回転軸２３のスプロケット２４との間に掛け回した無端チェーンである。【００２３】　３２は前記搬送筒２５の排出筒２５Ａに接続した処理物の引き出し手段としてのパイプであり、図示はしないが途中部にポンプを設けるようにしてもよい。該パイプ３２は処理物が硫酸ピッチと生ゴミの場合に使用するものであり、シャッター２６を閉じた状態において処理物或いは生ゴミから出た水分を引き出すものである。また、その他３３は前記パイプ３２をもって引き出した処理物の貯留ダンク、３４は該貯留タンク３３内の処理物を運搬するタンクローリーである。【００２４】　次に、本実施例の作用について説明する。
　先ず、硫酸ピッチ、ＰＣＢ、生ゴミ等を公知の処理装置を利用して処理する場合について説明する。尚、硫酸ピッチについては二通りの処理方法があるが、ここではその一方について説明する。【００２５】　廃棄物が硫酸ピッチの場合には、貯留タンク１内に硫酸ピッチ５を入れ、バルブ９を開いて所定量宛処理槽８に送り込む。そして処理槽８内において固化剤（処理剤）１７を混入し、棒状体２１の回転によって攪拌と破砕を行う。その後破砕されて細かくなったらシャッター１９を開き、処理槽８の底部から搬送筒２５内に落下させる。そしてスクリューフィーダ２７によって前記処理装置の投入口の位置まで搬送し、シャッター２６を開いて排出筒２５Ａの排出口２５ａから放出するものである。【００２６】　また、廃棄物がＰＣＢの場合には、処理槽８内にＰＣＢ１３と固化剤（処理剤）１７を入れ、その後は前記硫酸ピッチと同様の工程にて処理を行うものである。【００２７】　また、廃棄物が生ゴミの場合には、処理槽８内に生ゴミ（図示せず。）を入れ、処理剤を加えずに棒状体２１によって破砕を行うものである。破砕が終了したらシャッター１９を開いて搬送筒２５内に落下させる。このとき生ゴミから出た水分はパイプ３２を介して外部に排出される。そしてその後スクリューフィーダ２７によって前記処理装置の投入口の位置まで搬送し、シャッター２６を開いて排出筒２５Ａの排出口２５ａから放出するものである。【００２８】　次に、硫酸ピッチを処理する場合のもう一つの方法について説明する。
　この場合には、貯留タンク１内に硫酸ピッチ５と最近開発された前記中和剤（処理剤）７を入れ、バルブ９を開いて所定量宛処理槽８に送り込む。そして処理槽８内において固化剤（処理剤）を加えず、棒状体２１の回転によって攪拌を行う。そしてその後シャッター１９を開いて搬送筒２５の排出筒２５Ａ内に流し、シャッター２６を閉じた状態においてパイプ３２をもって引き出すものである。そしてまた、引き出した処理物は貯留タンク３３に溜め、タンクローリー３４によって所定の場所まで運搬するものである。
【図面の簡単な説明】
【００２９】
【図１】本考案の一部切欠して示した正面図である。
【図２】既に実用に供されている廃棄物処理装置の説明図である。
【符号の説明】
【００３０】　１　貯留タンク
　２　真空ポンプ
　３　廃棄物の投入手段としてのパイプ
　６　中和剤（処理剤）の投入手段
　８　処理槽
　９　バルブ
　１０　パイプ
　１１　廃棄物の投入手段としてのパイプ
　１５　固化剤（処理剤）の投入手段としてのパイプ
　１９　シャッター
　２０　攪拌と破砕を行う手段
　２１，２１　攪拌、破砕用棒状体
　２３　回転軸
　２４　スプロケット
　２５　搬送筒
　２５Ａ　排出筒
　２６　シャッター
　２７　スクリューフィーダ
　２９　スプロケット
　３０　駆動モータ
　３１　無端チェーン
　３２　処理物の引き出し手段としてのパイプ
【図１】
0003100033.tif 000003
【図２】
0003100033.tif 000004